(57)【要約】【課題】設置が容易で、コンパクトな照明器具を提供することを目的とする。【解決手段】照明器具は、少なくとも１つの面に備えられ、複数の太陽電池セルを相互に離間して配置されて構成される太陽電池、およびガラス板を含む太陽電池モジュールと、太陽電池モジュールにより発生された電力を蓄電する蓄電池と、蓄電池の電力により発光され、太陽電池モジュールを介して光を照射する発光体と、発光体を収容する筐体と、を備えている。【選択図】図１
2018098136.tif 000002
【特許請求の範囲】
【請求項１】
少なくとも１つの面に備えられ、複数の太陽電池セルを相互に離間して配置されて構成される太陽電池およびガラス板を含む太陽電池モジュールと、
前記太陽電池モジュールにより発生された電力を蓄電する蓄電池と、
前記蓄電池の電力により発光され、前記太陽電池モジュールを介して光を照射する発光体と、
前記発光体を収容する筐体と、
を備える照明器具。
【請求項２】
前記筐体が、前記蓄電池を収容する請求項１に記載の照明器具。
【請求項３】
前記太陽電池モジュールにおいて、太陽光を受光する面全体の面積に対する前記太陽電池セルの面積の比が９５％以下である請求項１又は２に記載の照明器具。
【請求項４】
前記太陽電池セルの短辺の長さが１３０ｍｍ以下である請求項１から３の何れか一項に記載の照明器具。
【請求項５】
前記ガラス板の厚さが４ｍｍ以上である請求項１から４の何れか一項に記載の照明器具。
【請求項６】
前記太陽電池モジュールが、着色された中間膜を有する請求項１から５の何れか一項に記載の照明器具。
【請求項７】
前記ガラス板が、着色層付きのガラス板である請求項１から６の何れか一項に記載の照明器具。
【請求項８】
前記ガラス板が、着色ガラス板である請求項１から６の何れか一項に記載の照明器具。
【請求項９】
前記太陽電池セルより外側に表示パターンを有する請求項１から８の何れか一項に記載の照明器具。
【請求項１０】
前記太陽電池セルより内側に表示パターンを有する請求項１から８の何れか一項に記載の照明器具。
【請求項１１】
前記蓄電池の電力を外部に取り出す取出部を有する請求項１から１０の何れか一項に記載の照明器具。
【請求項１２】
前記太陽電池モジュールを備えない面がガラス板、又は樹脂板である請求項１から１１の何れか一項に記載の照明器具。
【請求項１３】
前記ガラス板、又は前記樹脂板に表示パターンを有する請求項１２に記載の照明器具。
【発明の詳細な説明】
【技術分野】
【０００１】
本発明は、太陽電池を使用する照明器具に関する。
【背景技術】
【０００２】
太陽電池を使用した照明装置が知られている。例えば、特許文献１に記載の照明装置は、太陽電池を使用して日中に電力を生み出し、この電力を蓄電池に蓄電し、蓄電された電力を使用して、夜中に照明灯を点灯させることができる。さらに、特許文献１の照明装置は、地震時には外部の機器への充電を行なうことができる接続部を備えている。
【先行技術文献】
【特許文献】
【０００３】
【特許文献１】特開２００８−１９２５２９号公報
【発明の概要】
【発明が解決しようとする課題】
【０００４】
ところで、特許文献１に記載の照明装置は、街路灯タイプの照明装置であるので、基礎工事や鉄骨工事等が必要であり設置が容易ではない。また、太陽電池と照明灯とを分離し、配線するため、照明装置が大型化する。
【０００５】
本発明は、設置が容易で、コンパクトな照明器具を提供することを目的とする。
【課題を解決するための手段】
【０００６】
本発明に係る照明器具は、少なくとも１つの面に備えられ、複数の太陽電池セルを相互に離間して配置されて構成される太陽電池およびガラス板を含む太陽電池モジュールと、前記太陽電池モジュールの電力を蓄電する蓄電池と、前記蓄電池の電力により発光され、前記太陽電池モジュールを介して光を照射する発光体と、前記発光体を収容する筐体と、を備える。
【発明の効果】
【０００７】
本発明によれば、太陽電池モジュールにより太陽光を受光し、太陽電池モジュールを介して光を照射することにより、容易に設置でき、かつコンパクトな照明器具を得ることができる。
【図面の簡単な説明】
【０００８】
【図１】図１は照明器具の外観斜視図である。
【図２】図２は図１の照明器具の縦断面図である。
【図３】図３は別の態様の照明器具の外観斜視図である。
【図４】図４は態様の照明器具付きベンチの外観斜視図である。
【図５】図５は別の態様の照明器具付きベンチの外観斜視図である。
【図６】図６は別の態様の照明器具付きベンチの外観斜視図である。
【図７】図７は別の態様の照明器具付きベンチの外観斜視図である。
【発明を実施するための形態】
【０００９】
以下、添付図面にしたがって本発明の実施形態について説明する。本発明は以下の実施形態により説明される。但し、本発明の範囲を逸脱すること無く、多くの手法により変更を行うことができ、本実施形態以外の他の実施形態を利用することができる。したがって、本発明の範囲内における全ての変更が特許請求の範囲に含まれる。ここで、図中、同一の記号で示される部分は、基本的に、同様の機能を有する同様の要素である。
【００１０】
実施形態の照明器具を、図面を参照して説明する。図１は、照明器具の外観斜視図である。図２は、照明器具の縦断面図である。
【００１１】
照明器具１００は、筐体１０２と、筐体１０２に取り付けられた太陽電池モジュール１０４と、を備える。図１に示されるように、太陽電池モジュール１０４は、照明器具１００の一面である上面に備えられている。
【００１２】
太陽電池モジュール１０４は、全体として主面の面積に対して側面の面積が小さい板状の形状を有している。太陽電池モジュール１０４には、その側面を保護するため、カバー１０６が太陽電池モジュール１０４の側面に沿って設けられている。太陽電池モジュール１０４の形状として板状を例示したが、これに限定されない。
【００１３】
カバー１０６は、側面を保護できれば、材質は限定されない。例えば、カバー１０６として金属製のカバーを使用できる。
【００１４】
筐体１０２は、底面と、底面を囲む４つの側面とを有し、上面は矩形状に開口されている。底面と４つの側面とにより内部空間が形成される（図２参照）。筐体１０２の上面の開口を塞ぐように、シーリング材１０８により太陽電池モジュール１０４が筐体１０２に固定される。太陽電池モジュール１０４は筐体１０２の形状に合わせて形状付けられており、太陽電池モジュール１０４は平面視で略矩形である。筐体１０２の底面とは、設置された状態に置いて接地面（地面、床面等）と対向する面であり、側面とは底面に対して起立する面である。
【００１５】
照明器具１００が屋外に設置される場合、筐体１０２は防水性を有することが好ましい。また、照明器具１００が設置される場所、およびデザイン要求により、筐体１０２の色調、および材質を変更できる。筐体１０２を構成する材質として、ガラス板、樹脂板、金属板等を使用できる。ガラス板、または樹脂板であれば、光透過性を有するため好ましい。ガラス板、または樹脂板に文字、記号、および図形等の表示パターン（不図示）を形成することができる。表示パターンは、セラミックインク等の塗料を印刷することにより形成できる。
【００１６】
筐体１０２の底面の外側には、不陸調整用の脚部１１０を設けることが好ましい。照明器具１００を容易に移動できるようにするため、脚部１１０として、例えば、ストッパ付きのキャスターを用いることが好ましい。
【００１７】
実施形態の照明器具１００において、筐体１０２の一側面に開口部が形成され、開口部には、２つの取出部１１２が設けられている。取出部１１２により、後述する蓄電池１２０（図２参照）の電力を外部に取り出すことができる。取出部１１２と電子機器とをケーブル等で接続することにより、電力を電子機器に供給できる。取出部１１２に雨水等の水が浸入しないように、取出部１１２が蓋１１４により覆われていることが好ましい。
【００１８】
また、実施形態の照明器具１００において、取出部１１２が設けられた筐体１０２の側面にはインジケータ１１６が設けられている。インジケータ１１６は蓄電池１２０の残量を表示できる。
【００１９】
図２に示されるように、筐体１０２の上面の開口には太陽電池モジュール１０４が備えられている。太陽電池モジュール１０４は、例えば、外側のガラス板１０４Ａと、ガラス板１０４Ａに対向する内側のガラス板１０４Ｂとを有する。外側のガラス板１０４Ａが外部に露出するように、筐体１０２の上面の開口に太陽電池モジュール１０４は取り付けられる。
【００２０】
ガラス板１０４Ａは、光透過性の高い強化ガラスであることが好ましい。ガラス板１０４Ａに、例えば反射防止処理を施すことにより、太陽光の反射を低減でき、発電効率を高めることができる。太陽光の反射を抑えることにより、光の透過率等を向上できる。ガラス板１０４Ｂは、強化ガラスであることが好ましい。ガラス板１０４Ａ、ガラス板１０４Ｂに強化ガラスを用いる場合、風冷強化ガラスであることが好ましい。風冷強化ガラスであれば、生産性がよい。また、ガラス板１０４Ａ、ガラス板１０４Ｂは化学強化ガラスであってもよい。化学強化ガラスであれば、耐衝撃性に優れる。
【００２１】
太陽電池モジュール１０４は、外側のガラス板１０４Ａ、離間して配置された複数の太陽電池セル１０４Ｃ、および内側のガラス板１０４Ｂを、ガラス板１０４Ａ側からガラス板１０４Ｂ側に向けてこの順で有する。複数の太陽電池セル１０４Ｃにより太陽電池が構成される。太陽電池セル１０４Ｃは相互に電気的に接続されている。
【００２２】
太陽電池モジュール１０４は、外側のガラス板１０４Ａと内側のガラス板１０４Ｂとの間に複数の太陽電池セル１０４Ｃを封止する中間膜１０４Ｄを有する。中間膜１０４Ｄとして、ＥＶＡ（Ethylene Vinyl Acetate）などの熱硬化性樹脂、または熱可塑性樹脂などの樹脂により形成することが好ましい。また、樹脂製の中間膜１０４Ｄは、ガラス板１０４Ａ、１０４Ｂに比べて低い熱伝導率を有するので、断熱層として機能する。
【００２３】
中間膜１０４Ｄを、２以上の中間膜で構成できる。太陽電池セル１０４Ｃは、２以上の中間膜の間に配置される。２以上の中間膜は、異なる材料で形成されてもよいが、熱処理によって一体化できるように同じ材料で形成されてもよい。
【００２４】
太陽電池モジュール１０４は、太陽電池セル１０４Ｃと電気的に接続される端子ボックス１０４Ｅを備える、端子ボックス１０４Ｅはガラス板１０４Ｂの側に取り付けられ、電気配線１２８の接続部として機能する。実施形態では端子ボックス１０４Ｅをガラス板１０４Ｂの主面に取り付けた例を示したが、これに限定されず、端子ボックス１０４Ｅを太陽電池モジュール１０４の側面（エッジ）に取り付けることもできる。
【００２５】
筐体１０２の内部空間には、太陽電池モジュール１０４からの電力を蓄電する蓄電池１２０と、制御部１２２と、発光体としてＬＥＤ（Light Emitting Diode）照明１２６と、取出部１１２と、インジケータ１１６が収容される。
【００２６】
電気配線１２８により、端子ボックス１０４Ｅと制御部１２２、制御部１２２と蓄電池１２０、制御部１２２とＬＥＤ照明１２６、制御部１２２と取出部１１２、および制御部１２２とインジケータ１１６とが接続される。
【００２７】
実施形態の照明器具１００では、ＬＥＤ照明１２６の照射光が太陽電池モジュール１０４を介して外部に放射されるように、ＬＥＤ照明１２６は、筐体１０２の内部空間内に配置される。発光体としてＬＥＤ照明１２６を例示したが、蓄電池１２０の電力により発光できれば、特に限定されない。
【００２８】
次に、実施形態の照明器具１００の動作について説明する。照明器具１００は屋外の公園等に設置される。照明器具１００はコンパクトであるので、自由に設置できる。日中、照明器具１００の太陽電池モジュール１０４は太陽光を受光する。太陽電池モジュール１０４の複数の太陽電池セル１０４Ｃが太陽光により電力を発生する。発生された電力は端子ボックス１０４Ｅに送られ、制御部１２２を介して蓄電池１２０に蓄電される。
【００２９】
制御部１２２は蓄電池１２０の充電量を検出できる。さらに、制御部１２２は、充電量に応じで、インジケータ１１６の表示を変化させることができる。インジケータ１１６を常に表示させる必要はなく、要求された場合のみインジケータ１１６を表示させてもよい。
【００３０】
夜中、制御部１２２を介して、蓄電池１２０に蓄電された電力がＬＥＤ照明１２６に供給される。制御部１２２は蓄電池１２０の蓄電量を検出し、ＬＥＤ照明１２６に供給する電力を決定できる。
【００３１】
ＬＥＤ照明１２６は供給された電力により発光し、太陽電池モジュール１０４を介して光が照明器具１００の外部に照射される。夜中、照明器具１００は夜間照明として機能する。ＬＥＤ照明１２６を点灯、消灯する時間は、光センサーにより周囲の明るさを判定して決定してもよいし、タイマーにより決定してもよい。
【００３２】
照明器具１００において、日中は太陽電池モジュール１０４により太陽光を受光し電力を発生させ、夜中は電力によりＬＥＤ照明１２６を発光させ太陽電池モジュール１０４を介して光を外部に照射する。太陽電池モジュール１０４が受光面と発光面の両方の機能を備えるので、照明器具１００を従来の街路灯タイプに比較してコンパクトにできる。
【００３３】
発光面の機能を果たすため、すなわち、ＬＥＤ照明１２６の光を外部に取り出すため、太陽電池モジュール１０４は光透過性を有している。一般に、太陽電池モジュール１０４に備えられる太陽電池セル１０４Ｃは光を透過しない。複数の太陽電池セル１０４Ｃを、相互に離間して配置することにより、太陽電池モジュール１０４に光透過性を付与することができる。
【００３４】
離間して相互に配置できれば、太陽電池セル１０４Ｃの形状、および材質は限定されない。太陽電池セル１０４Ｃとして、例えば、１５６ｍｍ（約６インチ）×１５６ｍｍの略正方形の単結晶又は多結晶シリコンからなる太陽電池セルを離間して配置することができる。１つの太陽電池セル１０４Ｃの面積が大きくなると、太陽電池モジュール１０４から光を照射した場合、市松模様のように観察される。
【００３５】
また、太陽電池セル１０４Ｃとして、１５６ｍｍ×７７．９ｍｍの短冊状の単結晶又は多結晶シリコンの太陽電池セル１０４Ｃを離間して配置することができる。１つの太陽電池セル１０４Ｃの面積を小さくすることにより、太陽電池モジュール１０４の全体に光透過性を付与することができ、市松模様が解消される。短冊状の太陽電池セル１０４Ｃとして１５６ｍｍ×７７．９ｍｍの場合を例示したが、太陽電池セル１０４Ｃの短辺の長さが１３０ｍｍ以下とすることが好ましく、さらに１００ｍｍ以下とすることが好ましく、さらに８０ｍｍ以下とすることが好ましい。太陽電池セル１０４Ｃをこの大きさとすることにより、太陽電池セル１０４Ｃの配列の自由度を増やすことができる。したがって、見た目や、光透過の均一性よく、太陽電池セル１０４Ｃを配置できる。
【００３６】
また、太陽電池セル１０４Ｃとして、透明導電膜の上に、アモルファスシリコン又はアモルファスシリコン合金を設けた構成とすることができる。これにより、太陽電池を、いわゆる薄膜半導体太陽電池とすることができる。薄膜半導体太陽電池の場合、アモルファスシリコンをレーザーによりカットすることにより、複数の太陽電池セルを相互に離間して配置することができる。したがって、太陽電池モジュール１０４の全体に光透過性を付与できる。
【００３７】
太陽電池モジュール１０４において、太陽光を受光する面全体の面積に対する太陽電池セル１０４Ｃの面積の比が９５％以下であることが好ましく、さらに９０％以下であることが好ましく、８０％以下であることが好ましく、７０％以下であることが好ましく、特に５０％以下であることが好ましい。太陽電池セル１０４Ｃの面積を小さくすることにより、太陽電池モジュール１０４を介して、ＬＥＤ照明１２６からの光を充分に放出ができる。
【００３８】
太陽電池モジュール１０４のガラス板１０４Ａ、１０４Ｂの総厚は４ｍｍ以上であることが好ましく、６ｍｍ以上であることがさらに好ましい。ガラス板１０４Ａ、１０４Ｂの総厚は４ｍｍ以上である場合、ガラス板１０４Ａ、１０４Ｂのそれぞれの厚さは２ｍｍ以上であることが好ましい。４ｍｍ以上の厚さとすることにより、太陽電池モジュール１０４の強度を確保できる。
【００３９】
太陽電池モジュール１０４の中間膜１０４Ｄを、着色された中間膜とすることが好ましい。筐体１０２の内部空間に配置された蓄電池１２０や電気配線１２８が外部から視認されにくくできる。着色された中間膜として、乳白色に着色された中間膜を使用することが好ましい。ＬＥＤ照明１２６等の発光体との調和が容易となる。
【００４０】
中間膜を２以上の中間膜で構成した場合、太陽電池セル１０４Ｃの受光面側（外側）を透過性の中間膜とし、太陽電池セル１０４Ｃの受光面と反対側（内側）を着色された中間膜とすることができる。受光面側を透過性の中間膜にすることで、発電効率の低下を回避できる。
【００４１】
ガラス板１０４Ａ、１０４Ｂの一方、または両方を着色層付きのガラス板、または着色ガラス板にすることが好ましい。筐体１０２の内部空間に配置された蓄電池１２０や電気配線１２８が外部から視認されにくくできる。着色層付きのガラス板は、ガラス板の表面に着色性の被膜を成膜することにより製造できる。着色ガラス板は成分に微量の金属化合物を新たに添加することによりガラス板そのものを着色することにより製造できる。
【００４２】
ガラス板１０４Ａを透明なガラス板とし、ガラス板１０４Ｂを着色層付きのガラス板、または着色ガラス板とすることができる。ガラス板１０４Ａを透明なガラス板とすることにより、太陽電池セル１０４Ｃの発電効率の低下を回避できる。
【００４３】
また、照明器具１００の取出部１１２に電子機器をケーブルで接続することにより、電力を電子機器に供給できる。電子機器が携帯電話であれば、蓄電池１２０に蓄電された電力により携帯電話を充電できる。制御部１２２は蓄電池１２０の蓄電量を検出し、電子機器に電力を供給するか否かを決定できる。
【００４４】
図１に示された照明器具１００では、太陽電池モジュール１０４が筐体１０２の上面に取り付けられた場合を例示したが、これに限定されず、複数の面に太陽電池モジュール１０４を取り付けることができる。
【００４５】
以下に、図３を参照して照明器具の他の実施形態を説明する。図１および図２に示された実施形態と同一の作用を奏する部分には、同一の符号を付することによりその部分の詳細な説明を省略する場合がある。
【００４６】
図３は別の態様の照明器具１００の外観斜視図である。図３に示される照明器具１００の筐体１０２は円柱状の形状を有している。筐体１０２は底面と１つの側面とを有しており、上面は円形状に開口されている。筐体１０２の形状に合わせて、太陽電池モジュール１０４は形状付けられ、太陽電池モジュール１０４は、平面視で円形状である。
【００４７】
実施形態の太陽電池モジュール１０４は、表示パターン１０４Ｆを備えている。表示パターン１０４Ｆは図３に示されるような文字であってもよいし、記号や図形等の所定のパターンであってもよい。表示パターン１０４Ｆにより、照明器具１００は情報を伝達でき、また照明器具１００は審美性を向上できる。
【００４８】
表示パターン１０４Ｆは、例えば、セラミックインク等の塗料を印刷することにより形成できる。表示パターン１０４Ｆを、太陽電池セル１０４Ｃより外側、または内側に形成できる。塗料としてセラミックインクを例示したが、表示パターン１０４Ｆが形成できれば、塗料の種類は限定されない。
【００４９】
表示パターン１０４Ｆを外側に形成する場合として、太陽電池セル１０４Ｃより外側のガラス板１０４Ａに直接表示パターン１０４Ｆを形成できる。また、太陽電池モジュール１０４の露出面を覆うカバーガラス（不図示）を設け、そのカバーガラスに表示パターン１０４Ｆを形成することができる。カバーガラスを、太陽電池モジュール１０４に対して着脱自在とすることにより、任意に表示パターン１０４Ｆを変更できる。カバーガラスは表示パターン１０４Ｆを形成しない、透明、または着色透明であってもよい。カバーガラスにより太陽電池モジュール１０４を保護することができ、着色透明とすることにより審美性を向上できる。
【００５０】
表示パターン１０４Ｆを内側に形成する場合として、太陽電池セル１０４Ｃより内側のガラス板１０４Ｂに直接表示パターン１０４Ｆを形成できる。外側のガラス板１０４Ａに表示パターン１０４Ｆを形成しないので、発電効率の低下を回避することができる。
【００５１】
図４乃至７は、実施形態の照明器具とベンチとが一体化された照明器具付きベンチの外観斜視図である。図１および図２に示された実施形態と同一の作用を奏する部分には、同一の符号を付することによりその部分の詳細な説明を省略する場合がある。
【００５２】
図４に示されるように、ベンチ２００は、座部２０２と、座部２０２を支持する４個の脚部２０４とを備え、座部２０２と脚部２０４とは一体成形されている。ベンチ２００は、金属、樹脂、または金属と樹脂との複合体により構成することができる。実施形態の座部２０２は長辺と短辺とを備え、平面視で矩形形状を有している。
【００５３】
図４に示されるベンチ２００において、照明器具１００は、座部２０２の上であって、座部２０２の一方の短辺に沿うよう設置される。照明器具１００は、ボルト等により座部２０２に固定できる。
【００５４】
照明器具１００付きのベンチ２００では、照明器具１００の上面の太陽電池モジュール１０４が水平であるのでテーブルとして使用でき、物等を置くことができる。また、ベンチ２００の座部２０２に座りながら、照明器具１００の取出部１１２から電力を取り出し、携帯電話等に充電できる。
【００５５】
図５に示されるベンチ２００は、座部２０２と、座部２０２を支持する８個の脚部２０４とを備え、座部２０２と脚部２０４とは一体成形されている。
【００５６】
図５に示されるベンチ２００において、照明器具１００は、座部２０２の上であって、座部２０２の略中央に設置されている。照明器具１００の上面の太陽電池モジュール１０４は、水平に対して略３０°傾けられている。太陽電池モジュール１０４を略３０°傾けて南面に向けて設置することにより、日本において最大の発電効果を得ることができる。太陽電池モジュール１０４は、水平に対して２０°〜４０°傾けることが好ましく、２５°〜３５°傾けることがより好ましい。
【００５７】
太陽電池モジュール１０４を傾ける角度は、好ましくは、設置される場所の緯度等を考慮して決定される。
【００５８】
図５に示される照明器具１００において、取出部１１２は筐体１０２の両側、すなわち対向する側面にそれぞれ設けられている。したがって、照明器具１００を挟んで座部２０２に座って、同時に取出部１１２から電力を取り出すことができる。
【００５９】
図６に示されるベンチ２００は、座部２０２と、座部２０２を支持する４個の脚部２０４と、座部２０２に設けられた背もたれ部２０６を備え、座部２０２と脚部２０４と背もたれ部２０６とは一体成形されている。照明器具１００は、ベンチ２００の脚部２０４に隣接して設置されている。
【００６０】
図６に示されるベンチ２００において、照明器具１００が脚部２０４に隣接しているので、座部２０２の面積を確保することができる。また、座部２０２の高さと、照明器具１００の上面の太陽電池モジュール１０４の高さが略同じであり、太陽電池モジュール１０４に物等を置くことができる。
【００６１】
図７に示されるベンチ２００は、座部２０２と、座部２０２を支持する１個の脚部２０４と、を備える。座部２０２の短辺側から見た場合、座部２０２と脚部２０４とはＴ字状となるよう構成される。
【００６２】
図７に示される照明器具１００は、太陽電池モジュール１０４とＬＥＤ照明（不図示）とを収容する筐体１０２Ａと、蓄電池（不図示）と制御部（不図示）とを収容する筐体１０２Ｂと、に分離されている。筐体１０２Ａと筐体１０２Ｂとが防水性を有する電気ケーブル（不図示）により接続される。筐体１０２Ｂの側面には取出部１１２とインジケータ１１６が設けられ、取出部１１２は蓋１１４により覆われている。
【００６３】
筐体１０２Ａは座部２０２と略同じ高さであり、筐体１０２Ａは座部２０２に収められる。筐体１０２Ａの太陽電池モジュール１０４と座部２０２とは略面一となる。
【００６４】
照明器具１００において、太陽電池モジュール１０４とＬＥＤ照明とを収容する筐体１０２Ａを分離することにより、ベンチ２００に収めやすくなり、デザイン性および意匠性を向上させることができる。
【００６５】
図７においては、筐体１０２Ｂはベンチ２００と離間した位置に配置されているが、ベンチ２００の座部２０２の下方に配置することもできる。筐体１０２Ｂがベンチ２００の座部２０２の下方に配置されることにより、照明器具１００をよりコンパクトにすることができる。
【符号の説明】
【００６６】
１００…照明器具、１０２、１０２Ａ、１０２Ｂ…筐体、１０４…太陽電池モジュール、１０４Ａ…ガラス板、１０４Ｂ…ガラス板、１０４Ｃ…太陽電池セル、１０４Ｄ…中間膜、１０４Ｅ…端子ボックス、１０４Ｆ…表示パターン、１０６…カバー、１０８…シーリング材、１１０…脚部、１１２…取出部、１１４…蓋、１１６…インジケータ、１２０…蓄電池、１２２…制御部、１２６…ＬＥＤ照明、１２８…電気配線、２００…ベンチ、２０２…座部、２０４…脚部、２０６…背もたれ部
【図１】
2018098136.tif 000003
【図２】
2018098136.tif 000004
【図３】
2018098136.tif 000005
【図４】
2018098136.tif 000006
【図５】
2018098136.tif 000007
【図６】
2018098136.tif 000008
【図７】
2018098136.tif 000009